(57)【要約】【課題】  本発明は、医療機器ベースの医師の健康監視測定システムを開示する。【解決手段】  当該システムは、医療機器、検出システム、制御システム及び人工知能システムを含む。前記検出システムは、医師の健康指標を検出し、検出したデータを制御システムに送信するために用いられる。前記制御システムと人工知能システムは、医療機器の内部に集積されている。前記制御システムは、受信したデータを表示デバイスに送信して表示させるために用いられる。前記人工知能システムは、クラウドサーバ内のデータに基づいて分析、研究することで健康指標の診断精度を取得するとともに、医師の健康状況を予測するために用いられる。本発明は、医師の健康指標を検出可能な検出システムを設置して医療機器に接続することで、医師の健康指標をリアルタイムで検出可能としている。これにより、医師の身体的健康状況を把握し、医師が手術中に突発的状況を生じていること、例えば、高血圧や心臓病といった疾患を発症していることを速やかに警告可能とすることで、手術プロセスの円滑な進行を保証する。【選択図】図２
2021533472.tif 000002
【特許請求の範囲】
【請求項１】
医療機器をベースとする医師の健康監視測定システムであって、医療機器（１）を含み、
更に、検出システム（２）、制御システム（３）及び人工知能システム（４）を含み、前記検出システム（２）は、医師の健康指標を検出し、検出したデータを制御システム（３）に送信するために用いられ、前記制御システム（３）と人工知能システム（１４）は医療機器（１）の内部に集積されており、前記制御システム（３）は、受信したデータを表示デバイス（１１）に送信して表示させるとともに、データをサーバ（１２）に送信して記憶させるために用いられ、前記人工知能システム（１４）は、クラウドサーバ（１２）内のデータに基づいて分析、研究することで健康指標の診断精度を取得するために用いられることを特徴とする医師の健康監視測定システム。
【請求項２】
前記検出システム（２）は、脈拍センサモジュール、血圧センサモジュール、心拍センサモジュール、体温センサモジュール、心電センサモジュールを含むが、その中の脈拍センサモジュール、血圧センサモジュール、心拍センサモジュール、体温センサモジュール、心電センサモジュールは、それぞれ、医師の脈拍監視測定データ、血圧監視測定データ、心拍監視測定データ、体温監視測定データ、心電監視測定データを検出することを特徴とする請求項１に記載の医師の健康監視測定システム。
【請求項３】
前記検出システム（２）は医療機器（１）に埋め込まれ、検出システム内のセンサモジュールによって医師の健康指標を収集することを特徴とする請求項１に記載の医師の健康監視測定システム。
【請求項４】
前記制御システム（３）は、ＭＣＵモジュール（４）、主制御モジュール（５）及びディスプレイモジュール（６）を含み、前記ＭＣＵモジュール（４）は、検出システムが監視測定したデータをリアルタイムで読み取って、監視測定したデータを主制御モジュール（５）に送信し、前記主制御モジュール（５）は、監視測定データを受信すると、ディスプレイモジュール（６）によってデータを表示デバイス（１１）に表示することを特徴とする請求項１に記載の医師の健康監視測定システム。
【請求項５】
前記制御システム（３）は通信モジュール（７）を更に含み、前記ＭＣＵモジュール（４）は、データを読み取ると、通信モジュール（７）を通じてクラウドサーバにデータを送信して記憶させ、クラウドサーバにログインすることで医師の健康指標をチェックすることを特徴とする請求項４に記載の医師の健康監視測定システム。
【請求項６】
前記制御システム（３）はプリンタ駆動モジュール（８）を更に含み、前記主制御モジュール（５）は、検出データを受信すると、プリンタ駆動モジュール（８）によってデータをプリントデバイス（１３）に送信してプリントすることを特徴とする請求項４に記載の医師の健康監視測定システム。
【請求項７】
前記制御システム（３）は警告モジュール（９）を更に含み、前記主制御モジュール（５）は、検出データを受信すると警告データとの比較を行い、警告データの範囲を超えている場合には警告モジュール（９）によって警告を発することを特徴とする請求項４に記載の医師の健康監視測定システム。
【請求項８】
前記制御システム（３）は記憶モジュール（１０）を更に含み、前記記憶モジュール（１０）は、主制御モジュール（５）が受信した検出データを記憶するために用いられることを特徴とする請求項４に記載の医師の健康監視測定システム。
【発明の詳細な説明】
【技術分野】
【０００１】
本発明は、医療機器の技術分野に属し、具体的には、医療機器をベースとする医師の健康監視測定システムに関する。
【背景技術】
【０００２】
近年、医師の健康状況は、社会ないし医師自身によって常に軽視されてきた。特に、長時間勤務の最中、医師の注意力は全て患者に集中するため、自身の健康問題についてはいっそう軽視しがちになる。医師たちはほぼ毎日のように患者とコミュニケーションをとるが、毎回の臨床診療は彼らにとって綿密な思考活動のプロセスであり、情緒や心理状況の影響を受けやすい。わずかな誤りは、診断の見落としや誤診、手術の操作ミスといった深刻な事態を招き、医師によるサービスの質や患者の治癒効果に支障をきたす恐れがある。
【発明の概要】
【発明が解決しようとする課題】
【０００３】
本発明の目的は、上記の背景技術に存在する欠点を解決するために、診断及び治療中の医師の健康指標をリアルタイムで監視測定可能であるとともに、医師の身体的健康状況を予測することも可能であり、いずれかの健康指標が警告値を上回った場合には警報器によって自動的に警告を発することで、より良好に医師の健康を守る医療機器をベースとする医師の健康監視測定システムを提供することである。
【課題を解決するための手段】
【０００４】
本発明が採用する技術方案は、以下の通りである。
【０００５】
医療機器をベースとする医師の健康監視測定システムであって、医療機器を含み、更に、検出システム、制御システム及び人工知能システムを含む。前記検出システムは、医師の健康指標を検出し、検出したデータを制御システムに送信するために用いられる。前記制御システムと人工知能システムは、医療機器の内部に集積されている。前記制御システムは、受信したデータを表示デバイスに送信して表示させるとともに、データをサーバに送信して記憶させるために用いられる。前記人工知能システムは、クラウドサーバ内のデータに基づいて分析、研究することで健康指標の診断精度を取得するとともに、医師の健康状況を予測するために用いられる。
【０００６】
更に、前記検出システムは、脈拍センサモジュール、血圧センサモジュール、心拍センサモジュール、体温センサモジュール、心電センサモジュールを含むが、その中の脈拍センサモジュール、血圧センサモジュール、心拍センサモジュール、体温センサモジュール、心電センサモジュールは、それぞれ、医師の脈拍監視測定データ、血圧監視測定データ、心拍監視測定データ、体温監視測定データ、心電監視測定データを検出する。
【０００７】
更に、前記検出システムは医療機器に埋め込まれ、検出システム内のセンサモジュールによって医師の健康指標を収集する。
【０００８】
更に、前記制御システムは、ＭＣＵモジュール、主制御モジュール及びディスプレイモジュールを含む。前記ＭＣＵモジュールは、検出システムが監視測定したデータをリアルタイムで読み取って、監視測定したデータを主制御モジュールに送信する。前記主制御モジュールは、監視測定データを受信すると、ディスプレイモジュールによってデータを表示デバイスに表示する。
【０００９】
更に、前記制御システムは通信モジュールを含む。前記ＭＣＵモジュールは、データを読み取ると、通信モジュールを通じてクラウドサーバにデータを送信して記憶させ、クラウドサーバにログインすることで医師の健康指標をチェックする。
【００１０】
更に、前記制御システムはプリンタ駆動モジュールを含む。前記主制御モジュールは、検出データを受信すると、プリンタ駆動モジュールによってデータをプリントデバイスに送信してプリントする。
【００１１】
更に、前記制御システムは警告モジュールを含む。前記主制御モジュールは、検出データを受信すると警告データとの比較を行い、警告データの範囲を超えている場合には警告モジュールによって警告を発する。
【００１２】
また、更に、前記制御システムは記憶モジュールを含む。前記記憶モジュールは、主制御モジュールが受信した検出データを記憶するために用いられる。
【発明の効果】
【００１３】
本発明は、医師の健康指標を検出可能な検出システムを設置して医療機器に接続することで、医師の健康指標をリアルタイムで検出可能としている。これにより、医師の身体的健康状況を把握し、診断中の医師に発生している低血糖等のその他の状況を速やかに解決可能とすることで、医療プロセスの円滑な進行を保証する。
【図面の簡単な説明】
【００１４】
【図１】図１は、本発明の原理を示す図である。
【図２】図２は、本発明の制御システム及び検出システムを示す図である。
【図３】図３は、本発明における人工知能システムの原理を示す図である。
【発明を実施するための形態】
【００１５】
以下に、本発明が明確に理解されるよう、図面と具体的実施例を組み合わせて、本発明について更に詳細に説明する。ただし、以下の説明は本発明の構成を限定するものではない。
【００１６】
図１及び図２に示すように、本発明における医療機器をベースとする医師の健康監視測定システムは、医療機器１を含むとともに、検出システム２、制御システム３及び人工知能システム１４を含む。前記検出システム２は、医師の健康指標を検出し、検出したデータを制御システム３に送信するために用いられる。前記制御システム３と人工知能システム１４は、医療機器１の内部に集積されている。前記制御システム３は、受信したデータを表示デバイス１１に送信して表示させるとともに、データをサーバ１２に送信して記憶させるために用いられる。前記人工知能システム１４は、クラウドサーバ１２内の症例データについて、ディープラーニング、音声認識及びマシンビジョン、症例の学習及び研究、症例経験の総括等を行うことで、健康指標の診断精度を迅速且つ正確に取得するとともに、取得した健康指標データを分析、研究することで、例えば心臓病であるなど、医師の健康状況を予測するために用いられる。本発明の当該システムは、医療機器に限らず、航空、自動車、オフィスといった労働強度の高い分野にも応用可能である。
【００１７】
上記の方案において、検出システム２は、脈拍センサモジュール、血圧センサモジュール、心拍センサモジュール、体温センサモジュール、心電センサモジュール及び疲労センサモジュールを含む。ただし、当該検出システムはこれらのセンサモジュールに限らず、身体的健康指標を収集する何らかのセンサモジュールであれば、いずれも当該検出システムに埋め込むことが可能である。脈拍センサモジュール、血圧センサモジュール、心拍センサモジュール、体温センサモジュール、心電センサモジュール、疲労センサモジュールは、それぞれ、脈拍監視測定データ、血圧監視測定データ、心拍監視測定データ、体温監視測定データ、心電監視測定データ、疲労監視測定データを検出する。検出システムが更にその他のセンサモジュールを含む場合には、その他の身体的データを監視測定することも可能である。
【００１８】
上記の方案において、検出システム２は医療機器１に埋め込まれ、検出システム内のセンサモジュールによって医師の健康指標を収集する。
【００１９】
上記の方案において、制御システム３は、ＭＣＵモジュール４、主制御モジュール５及びディスプレイモジュール６を含む。前記ＭＣＵモジュール４は、検出システムが監視測定したデータをリアルタイムで読み取って、監視測定したデータを主制御モジュール５に送信する。前記主制御モジュール５は、監視測定データを受信すると、ディスプレイモジュール６によってデータを表示デバイス１１に表示する。
【００２０】
上記の方案において、制御システム３は通信モジュール７を更に含む。前記ＭＣＵモジュール４は、データを読み取ると、通信モジュール７を通じてクラウドサーバ１２にデータを送信して記憶させる。また、ネットワーク通信機器を通じてクラウドサーバにログインし、医師の健康指標をチェックする。なお、通信モジュール７は４Ｇ／５Ｇモジュールとすればよい。
【００２１】
上記の方案において、制御システム３はプリンタ駆動モジュール８を更に含む。前記主制御モジュール５は、検出データを受信すると、プリンタ駆動モジュール８によってデータをプリントデバイス１３に送信してプリントする。
【００２２】
上記の方案において、制御システム３は警告モジュール９を更に含む。前記主制御モジュール５は、検出データを受信すると警告データとの比較を行い、警告データの範囲を超えている場合には警告モジュール９によって警告を発する。
【００２３】
上記の方案において、制御システム３は記憶モジュール１０を更に含む。前記記憶モジュール１０は、主制御モジュール５が受信した検出データを記憶するために用いられる。
【００２４】
本発明では、医師の健康指標を検出可能な検出システムを設置して医療機器に接続することで、診断及び治療中の医師の脈拍、血圧、体温、心拍、心電及びその他の健康指標をリアルタイムで監視測定可能としており、且つ、医師の身体的健康状況を予測することも可能である。そして、いずれかの健康指標が警告値を上回った場合には、警報器によって自動的に警告を発することで、より良好に医師の健康を守る。
【００２５】
本明細書内で詳細に記載していない内容は、当業者にとって公知の従来技術に属する。
【符号の説明】
【００２６】
１  医療機器
２  検出システム
３  制御システム
４  ＭＣＵモジュール
５  主制御モジュール
６  ディスプレイモジュール
７  通信モジュール
８  プリンタ駆動モジュール
９  警告モジュール
１０  記憶モジュール
１１  表示デバイス
１２  クラウドサーバ
１３  プリントデバイス
１４  人工知能システム
【図１】
2021533472.tif 000003
【図２】
2021533472.tif 000004
【図３】
2021533472.tif 000005
【手続補正書】
【提出日】令和3年9月8日(2021.9.8)
【手続補正１】
【補正対象書類名】明細書
【補正対象項目名】全文
【補正方法】変更
【補正の内容】
【発明の詳細な説明】
【技術分野】
【０００１】
本発明は、医療機器の技術分野に属し、具体的には、医療機器をベースとする医師の健康監視測定システムに関する。
【背景技術】
【０００２】
近年、医師の健康状況は、社会ないし医師自身によって常に軽視されてきた。特に、長時間勤務の最中、医師の注意力は全て患者に集中するため、自身の健康問題についてはいっそう軽視しがちになる。医師たちはほぼ毎日のように患者とコミュニケーションをとるが、毎回の臨床診療は彼らにとって綿密な思考活動のプロセスであり、情緒や心理状況の影響を受けやすい。わずかな誤りは、診断の見落としや誤診、手術の操作ミスといった深刻な事態を招き、医師によるサービスの質や患者の治癒効果に支障をきたす恐れがある。
【発明の概要】
【発明が解決しようとする課題】
【０００３】
本発明の目的は、上記の背景技術に存在する欠点を解決するために、診断及び治療中の医師の健康指標をリアルタイムで監視測定可能であるとともに、医師の身体的健康状況を予測することも可能であり、いずれかの健康指標が警告値を上回った場合には警報器によって自動的に警告を発することで、より良好に医師の健康を守る医療機器をベースとする医師の健康監視測定システムを提供することである。
【課題を解決するための手段】
【０００４】
本発明が採用する技術方案は、以下の通りである。
【０００５】
医療機器をベースとする医師の健康監視測定システムであって、医療機器を含み、更に、検出システム、制御システム及び人工知能システムを含む。前記検出システムは、医師の健康指標を検出し、検出したデータを制御システムに送信するために用いられる。前記制御システムと人工知能システムは、医療機器の内部に集積されている。前記制御システムは、受信したデータを表示デバイスに送信して表示させるとともに、データをサーバに送信して記憶させるために用いられる。前記人工知能システムは、クラウドサーバ内のデータに基づいて分析、研究することで健康指標の診断精度を取得するとともに、医師の健康状況を予測するために用いられる。
【０００６】
更に、前記検出システムは、血中酸素センサモジュール、筋電センサモジュール、脳波センサモジュール、疲労センサモジュール、音声センサモジュール、脈拍センサモジュール、血圧センサモジュール、心拍センサモジュール、体温センサモジュール、心電センサモジュールを含むがこれらに限らない。血中酸素センサモジュール、ガルバニック皮膚反応センサモジュール、筋電センサモジュール、脳波センサモジュール、疲労センサモジュール、音声センサモジュール、脈拍センサモジュール、血圧センサモジュール、心拍センサモジュール、体温センサモジュール、心電センサモジュールは、それぞれ、医師の血中酸素飽和度監視測定データ、ガルバニック皮膚反応信号監視測定データ、筋電信号監視測定データ、脳波信号監視測定データ、疲労監視測定データ、音声監視測定データ、脈拍監視測定データ、血圧監視測定データ、心拍監視測定データ、体温監視測定データ、心電監視測定データ、精神状態データ（脈拍データ等を分析して取得）、心理的ストレス指数データ（脳波信号や音声信号等を分析して取得）を検出する。
【０００７】
更に、前記検出システムは医療機器に埋め込まれ、検出システム内のセンサモジュールによって医師の健康指標を収集する。
【０００８】
更に、前記制御システムは、ＭＣＵモジュール、主制御モジュール及びディスプレイモジュールを含む。前記ＭＣＵモジュールは、検出システムが監視測定したデータをリアルタイムで読み取って、監視測定したデータを主制御モジュールに送信する。前記主制御モジュールは、監視測定データを受信すると、ディスプレイモジュールによってデータを表示デバイスに表示する。
【０００９】
更に、前記制御システムは通信モジュールを含む。前記ＭＣＵモジュールは、データを読み取ると、通信モジュールを通じてクラウドサーバにデータを送信して記憶させ、クラウドサーバにログインすることで医師の健康指標をチェックする。
【００１０】
更に、前記制御システムはプリンタ駆動モジュールを含む。前記主制御モジュールは、検出データを受信すると、プリンタ駆動モジュールによってデータをプリントデバイスに送信してプリントする。
【００１１】
更に、前記制御システムは警告モジュールを含む。前記主制御モジュールは、検出データを受信すると警告データとの比較を行い、警告データの範囲を超えている場合には警告モジュールによって警告を発する。
【００１２】
また、更に、前記制御システムは記憶モジュールを含む。前記記憶モジュールは、主制御モジュールが受信した検出データを記憶するために用いられる。
【発明の効果】
【００１３】
本発明は、医師の健康指標を検出可能な検出システムを設置して医療機器に接続することで、医師の健康指標をリアルタイムで検出可能としている。これにより、医師の身体的健康状況を把握し、診断中の医師に発生している低血糖等のその他の状況を速やかに解決可能とすることで、医療プロセスの円滑な進行を保証する。
【図面の簡単な説明】
【００１４】
【図１】図１は、本発明の原理を示す図である。
【図２】図２は、本発明の制御システム及び検出システムを示す図である。
【図３】図３は、本発明における人工知能システムの原理を示す図である。
【図４】図４は、本発明の検出システムを示す図である。
【図５】図５は、本発明の検出システムを示す図である。
【発明を実施するための形態】
【００１５】
以下に、本発明が明確に理解されるよう、図面と具体的実施例を組み合わせて、本発明について更に詳細に説明する。ただし、以下の説明は本発明の構成を限定するものではない。
【００１６】
図１及び図２に示すように、本発明における医療機器をベースとする医師の健康監視測定システムは、医療機器１を含むとともに、検出システム２、制御システム３及び人工知能システム１４を含む。前記検出システム２は、医師の健康指標を検出し、検出したデータを制御システム３に送信するために用いられる。前記制御システム３と人工知能システム１４は、医療機器１の内部に集積されている。前記制御システム３は、受信したデータを表示デバイス１１に送信して表示させるとともに、データをサーバ１２に送信して記憶させるために用いられる。前記人工知能システム１４は、クラウドサーバ１２内の症例データについて、ディープラーニング、音声認識及びマシンビジョン、症例の学習及び研究、症例経験の総括等を行うことで、健康指標の診断精度を迅速且つ正確に取得するとともに、取得した健康指標データを分析、研究することで、例えば心臓病であるなど、医師の健康状況を予測するために用いられる。本発明の当該システムは、医療機器に限らず、航空、自動車、オフィスといった労働強度の高い分野にも応用可能である。
【００１７】
上記の方案において、検出システム２は、脈拍センサモジュール、血圧センサモジュール、心拍センサモジュール、体温センサモジュール、心電センサモジュールを含む。ただし、当該検出システムはこれらのセンサモジュールに限らず、身体的健康指標を収集する何らかのセンサモジュールであれば、いずれも当該検出システムに埋め込むことが可能である。血中酸素センサモジュール、ガルバニック皮膚反応センサモジュール、筋電センサモジュール、脳波センサモジュール、疲労センサモジュール、音声センサモジュール、脈拍センサモジュール、血圧センサモジュール、心拍センサモジュール、体温センサモジュール、心電センサモジュールは、それぞれ、血中酸素飽和度監視測定データ、ガルバニック皮膚反応信号監視測定データ、筋電信号監視測定データ、脳波信号監視測定データ、疲労監視測定データ、音声監視測定データ、脈拍監視測定データ、血圧監視測定データ、心拍監視測定データ、体温監視測定データ、心電監視測定データ、精神状態データ（脈拍データ等を分析して取得）、心理的ストレス指数データ（脳波信号や音声信号等を分析して取得）を検出する。検出システムが更にその他のセンサモジュールを含む場合には、その他の身体的データを監視測定することも可能である。
【００１８】
上記の方案において、検出システム２は医療機器１に埋め込まれ、検出システム内のセンサモジュールによって医師の健康指標を収集する。
【００１９】
上記の方案において、制御システム３は、ＭＣＵモジュール４、主制御モジュール５及びディスプレイモジュール６を含む。前記ＭＣＵモジュール４は、検出システムが監視測定したデータをリアルタイムで読み取って、監視測定したデータを主制御モジュール５に送信する。前記主制御モジュール５は、監視測定データを受信すると、ディスプレイモジュール６によってデータを表示デバイス１１に表示する。
【００２０】
上記の方案において、制御システム３は通信モジュール７を更に含む。前記ＭＣＵモジュール４は、データを読み取ると、通信モジュール７を通じてクラウドサーバ１２にデータを送信して記憶させる。また、ネットワーク通信機器を通じてクラウドサーバにログインし、医師の健康指標をチェックする。なお、通信モジュール７は４Ｇ／５Ｇモジュールとすればよい。
【００２１】
上記の方案において、制御システム３はプリンタ駆動モジュール８を更に含む。前記主制御モジュール５は、検出データを受信すると、プリンタ駆動モジュール８によってデータをプリントデバイス１３に送信してプリントする。
【００２２】
上記の方案において、制御システム３は警告モジュール９を更に含む。前記主制御モジュール５は、検出データを受信すると警告データとの比較を行い、警告データの範囲を超えている場合には警告モジュール９によって警告を発する。
【００２３】
上記の方案において、制御システム３は記憶モジュール１０を更に含む。前記記憶モジュール１０は、主制御モジュール５が受信した検出データを記憶するために用いられる。
【００２４】
本発明では、医師の健康指標を検出可能な検出システムを設置して医療機器に接続することで、診断及び治療中の医師の脈拍、血圧、体温、心拍、心電及びその他の健康指標をリアルタイムで監視測定可能としており、且つ、医師の身体的健康状況を予測することも可能である。そして、いずれかの健康指標が警告値を上回った場合には、警報器によって自動的に警告を発することで、より良好に医師の健康を守る。
【００２５】
本明細書内で詳細に記載していない内容は、当業者にとって公知の従来技術に属する。
【符号の説明】
【００２６】
１  医療機器
２  検出システム
３  制御システム
４  ＭＣＵモジュール
５  主制御モジュール
６  ディスプレイモジュール
７  通信モジュール
８  プリンタ駆動モジュール
９  警告モジュール
１０  記憶モジュール
１１  表示デバイス
１２  クラウドサーバ
１３  プリントデバイス
１４  人工知能システム
【手続補正２】
【補正対象書類名】特許請求の範囲
【補正対象項目名】全文
【補正方法】変更
【補正の内容】
【特許請求の範囲】
【請求項１】
医療機器をベースとする医師の健康監視測定システムであって、医療機器（１）を含み、
更に、検出システム（２）、制御システム（３）及び人工知能システム（４）を含み、前記検出システム（２）は、医師の健康指標を検出し、検出したデータを制御システム（３）に送信するために用いられ、前記制御システム（３）と人工知能システム（１４）は医療機器（１）の内部に集積されており、前記制御システム（３）は、受信したデータを表示デバイス（１１）に送信して表示させるとともに、データをサーバ（１２）に送信して記憶させるために用いられ、前記人工知能システム（１４）は、クラウドサーバ（１２）内のデータに基づいて分析、研究することで健康指標の診断精度を取得するために用いられることを特徴とする医師の健康監視測定システム。
【請求項２】
前記検出システム（２）は、血中酸素センサモジュール、筋電センサモジュール、脳波センサモジュール、疲労センサモジュール、音声センサモジュール、脈拍センサモジュール、血圧センサモジュール、心拍センサモジュール、体温センサモジュール、心電センサモジュールを含むがこれらに限らず、血中酸素センサモジュール、筋電センサモジュール、脳波センサモジュール、疲労センサモジュール、音声センサモジュール、脈拍センサモジュール、血圧センサモジュール、心拍センサモジュール、体温センサモジュール、心電センサモジュールは、それぞれ、医師の血中酸素飽和度監視測定データ、筋電信号監視測定データ、脳波信号監視測定データ、疲労監視測定データ、音声監視測定データ、脈拍監視測定データ、血圧監視測定データ、心拍監視測定データ、体温監視測定データ、心電監視測定データを検出することを特徴とする請求項１に記載の医師の健康監視測定システム。
【請求項３】
前記検出システム（２）は医療機器（１）に埋め込まれ、検出システム内のセンサモジュールによって医師の健康指標を収集することを特徴とする請求項１に記載の医師の健康監視測定システム。
【請求項４】
前記制御システム（３）は、ＭＣＵモジュール（４）、主制御モジュール（５）及びディスプレイモジュール（６）を含み、前記ＭＣＵモジュール（４）は、検出システムが監視測定したデータをリアルタイムで読み取って、監視測定したデータを主制御モジュール（５）に送信し、前記主制御モジュール（５）は、監視測定データを受信すると、ディスプレイモジュール（６）によってデータを表示デバイス（１１）に表示することを特徴とする請求項１に記載の医師の健康監視測定システム。
【請求項５】
前記制御システム（３）は通信モジュール（７）を更に含み、前記ＭＣＵモジュール（４）は、データを読み取ると、通信モジュール（７）を通じてクラウドサーバにデータを送信して記憶させ、クラウドサーバにログインすることで医師の健康指標をチェックすることを特徴とする請求項４に記載の医師の健康監視測定システム。
【請求項６】
前記制御システム（３）はプリンタ駆動モジュール（８）を更に含み、前記主制御モジュール（５）は、検出データを受信すると、プリンタ駆動モジュール（８）によってデータをプリントデバイス（１３）に送信してプリントすることを特徴とする請求項４に記載の医師の健康監視測定システム。
【請求項７】
前記制御システム（３）は警告モジュール（９）を更に含み、前記主制御モジュール（５）は、検出データを受信すると警告データとの比較を行い、警告データの範囲を超えている場合には警告モジュール（９）によって警告を発することを特徴とする請求項４に記載の医師の健康監視測定システム。
【請求項８】
前記制御システム（３）は記憶モジュール（１０）を更に含み、前記記憶モジュール（１０）は、主制御モジュール（５）が受信した検出データを記憶するために用いられることを特徴とする請求項４に記載の医師の健康監視測定システム。
【手続補正３】
【補正対象書類名】図面
【補正対象項目名】全図
【補正方法】変更
【補正の内容】
【図１】
2021533472.tif 000006
【図２】
2021533472.tif 000007
【図３】
2021533472.tif 000008
【図４】
2021533472.tif 000009
【図５】
2021533472.tif 000010
【国際調査報告】
2021533472.tif 000011
2021533472.tif 000012
2021533472.tif 000013
2021533472.tif 000014